(57)【要約】【課題】バッテリ収容部に対して隙間なく収容可能なバッテリ、バッテリ保持構造等を提案する。【解決手段】少なくとも外表の一部がモールド部２２に覆われると共に側面２３に給電端子２５が露出するバッテリ２０を、側壁３１に受電端子３５が配置されたバッテリ収容部３０内に位置決め保持するバッテリ保持構造１４であって、モールド部２２にバッテリ収容部３０への挿入方向に沿って形成された凹部２６及びバッテリ収容部３０の底面３２に立設して凹部２６と嵌合する凸部３６からなる嵌合部１５を備える。【選択図】図４
2008165998.tif 000002
【特許請求の範囲】
【請求項１】
少なくとも外表の一部が樹脂又はゴムからなるモールド部に覆われると共に側面に給電端子が露出するバッテリであって、
前記給電端子を受電体に対して位置決めするための凹部が前記モールド部に前記給電端子が露出する方向に略直交する方向に沿って形成されていることを特徴とするバッテリ。
【請求項２】
前記凹部は、前記給電端子の近傍に形成されることを特徴とする請求項１に記載のバッテリ。
【請求項３】
前記凹部を複数備えることを特徴とする請求項１又は請求項２に記載のバッテリ。
【請求項４】
前記複数の凹部は、前記給電端子が露出する側面の長手方向に沿って、前記給電端子を挟むように配置されることを特徴とする請求項３に記載のバッテリ。
【請求項５】
前記凹部は、円錐形に形成されることを特徴とする請求項１から請求項４のうちいずれか一項に記載のバッテリ。
【請求項６】
少なくとも外表の一部がモールド部に覆われると共に側面に給電端子が露出するバッテリを、側壁に受電端子が配置されたバッテリ収容部内に位置決め保持するバッテリ保持構造であって、
前記モールド部に前記バッテリ収容部への挿入方向に沿って形成された凹部及び前記バッテリ収容部の底面に立設して前記凹部と嵌合する凸部からなる嵌合部を備えることを特徴とするバッテリ保持構造。
【請求項７】
前記凹部は、前記給電端子の近傍に形成され、
前記凸部は、前記受電端子の近傍に形成されることを特徴とする請求項６に記載のバッテリ保持構造。
【請求項８】
前記嵌合部を複数備えることを特徴とする請求項６又は請求項７に記載のバッテリ保持構造。
【請求項９】
前記複数の凹部は、前記給電端子が露出する側面の長手方向に沿って前記給電端子を挟むように配置され、
前記複数の凸部は、前記受電端子が露出する側壁の長手方向に沿って前記受電端子を挟むように配置されることを特徴とする請求項８に記載のバッテリ保持構造。
【請求項１０】
前記モールド部は弾性材料により形成され、前記凹部が前記凸部に対して締まり嵌めされることを特徴とする請求項６から請求項９のうちいずれか一項に記載のバッテリ保持構造。
【請求項１１】
前記凹部及び前記凸部は、共に円錐形に形成されることを特徴とする請求項６から請求項１０のうちいずれか一項に記載のバッテリ保持構造。
【請求項１２】
筐体内のバッテリ収容部に収容したバッテリからの電源供給により駆動される電子機器であって、
前記バッテリを前記バッテリ収容部に位置決め保持するバッテリ保持構造として、請求項６から請求項１１のうちいずれか一項に記載のバッテリ保持構造を備えることを特徴とする電子機器。
【発明の詳細な説明】
【技術分野】
【０００１】
本発明は、電子機器等に用いられるバッテリ、バッテリ保持構造及び電子機器に関する。
【背景技術】
【０００２】
携帯電話機等の電子機器には、その筐体にバッテリ（二次電池）を収容するバッテリ収容部が形成されている。
携帯電話機の筐体に形成されるバッテリ収容部は、バッテリの外形形状と略同一に形成されている。したがって、このバッテリ収容部にバッテリがぴったりと納まるようになっている（特許文献１参照）。
【特許文献１】特開２００２−２６０６１５号公報
【発明の開示】
【発明が解決しようとする課題】
【０００３】
ところで、バッテリ収容部（携帯電話機等の筐体）及びバッテリの外表部分は、それぞれプラスチックにより成型されている。このため、成型のばらつき等により、バッテリ収容部とバッテリとの間に僅かな隙間が生じてしまう場合がある。このため、バッテリの外表に設けられた給電端子（平面）とバッテリ収容部に設けられた受電端子（ピン）との接触が不安定になってしまう。そして、例えば、電子機器に外力（振動）が加わった際には、バッテリから電子機器への電源供給が瞬間的に途絶えたり、電圧低下が発生したりする現象（以下、瞬断（Sag）という）が発生して、電子機器の再起動や誤動作の危険性が高くなるという問題がある。
【０００４】
本発明は、上述した事情に鑑みてなされたもので、バッテリ収容部に対して隙間（ガタ）なく収容可能なバッテリ、バッテリ保持構造及び電子機器を提案することを目的とする。
【課題を解決するための手段】
【０００５】
本発明に係るバッテリ、バッテリ保持構造及び電子機器では、上記課題を解決するために以下の手段を採用した。
第１の発明は、少なくとも外表の一部が樹脂又はゴムからなるモールド部に覆われると共に側面に給電端子が露出するバッテリであって、前記給電端子を受電体に対して位置決めするための凹部が前記モールド部に前記給電端子が露出する方向に略直交する方向に沿って形成されていることを特徴とする。
【０００６】
また、前記凹部は、前記給電端子の近傍に形成されることを特徴とする。
また、前記凹部を複数備えることを特徴とする。
【０００７】
また、前記複数の凹部は、前記給電端子が露出する側面の長手方向に沿って、前記給電端子を挟むように配置されることを特徴とする。
また、前記凹部は、円錐形に形成されることを特徴とする。
【０００８】
第２の発明は、少なくとも外表の一部がモールド部に覆われると共に側面に給電端子が露出するバッテリを、側壁に受電端子が配置されたバッテリ収容部内に位置決め保持するバッテリ保持構造であって、前記モールド部に前記バッテリ収容部への挿入方向に沿って形成された凹部及び前記バッテリ収容部の底面に立設して前記凹部と嵌合する凸部からなる嵌合部を備えることを特徴とする。
【０００９】
また、前記凹部は、前記給電端子の近傍に形成され、前記凸部は、前記受電端子の近傍に形成されることを特徴とする。
また、前記嵌合部を複数備えることを特徴とする。
【００１０】
また、前記複数の凹部は、前記給電端子が露出する側面の長手方向に沿って前記給電端子を挟むように配置され、前記複数の凸部は、前記受電端子が露出する側壁の長手方向に沿って前記受電端子を挟むように配置されることを特徴とする。
【００１１】
また、前記モールド部は弾性材料により形成され、前記凹部が前記凸部に対して締まり嵌めされることを特徴とする。
また、前記凹部及び前記凸部は、共に円錐形に形成されることを特徴とする。
【００１２】
第３の発明は、筐体内のバッテリ収容部に収容したバッテリからの電源供給により駆動される電子機器であって、前記バッテリを前記バッテリ収容部に位置決め保持するバッテリ保持構造として、第２の発明に係るバッテリ保持構造を備えることを特徴とする。
【発明の効果】
【００１３】
本発明によれば以下の効果を得ることができる。
本発明に係るバッテリ、バッテリ保持構造及び電子機器は、電子機器のバッテリ収容部（受電体）にバッテリをがたつきなく収容できるので、バッテリの給電端子をバッテリ収容部の側壁に配置された受電端子に対して確実に当接させることができる。
これにより、例えば、電子機器に外力が加わった場合であっても、バッテリの給電端子とバッテリ収容部の側壁に配置された受電端子との接続が確実に維持されるので、バッテリから電子機器（受電体）への電源供給が瞬間的に途絶えたり、電圧低下が発生したりする瞬断の発生を抑制できる。したがって、電子機器（受電体）がリブート（再起動）したり、誤動作したりする危険性は殆どなくなる。
【発明を実施するための最良の形態】
【００１４】
以下、本発明に係るバッテリ及び電子機器の実施形態について図を参照して説明する。
なお、以下の実施形態では、本発明の電子機器の一例として、携帯電話機を挙げて説明する。また、以下の図面において、各部材を認識可能な大きさとするために、各部材の縮尺を適宜変更している。
【００１５】
図１は、本実施形態の携帯電話機１の概略構成を示す斜視図である。
携帯電話機１は、第１筐体２と第２筐体３とを有しており、この第１筐体２と第２筐体３とがヒンジ部４を介して開閉可能に連結されている。
第１筐体２には、複数の操作キー５が配列されている。また、操作キー５の下側（先端側）にはマイクロフォン６が設置されている。
一方、第２筐体３には、液晶ディスプレイあるいは有機ＥＬ（Electro-Luminescence）ディスプレイや無機ＥＬディスプレイ等の表示部７が設置されている。また、表示部７の上側（先端側）には、スピーカ８が設置されている。
【００１６】
図２は、第１筐体２を裏側から見た斜視図である。なお、図２（ａ）は、第１筐体２にカバー１０が取り付けられた状態を示す図であり、図２（ｂ）は第１筐体２からカバー１０が取り外された状態を示す図である。
【００１７】
図２（ｂ）に示すように、第１筐体２には、バッテリ２０を収容するためのバッテリ収容部３０が形成されている。このバッテリ収容部３０の形状は、バッテリ２０の平面視形状と略同一であり、また、バッテリ２０の厚みと略同一の深さを有している。
そして、図２（ａ）に示すように、第１筐体２のバッテリ収容部３０にバッテリ２０が収容され、バッテリ収容部３０がカバー１０によって覆われるようになっている。
【００１８】
カバー１０の表面１１は、第１筐体２に取り付けられた際に、第１筐体２の表面２ｓと同一高さとなって、第１筐体２と一体化するように形成されている。このカバー１０の裏面側（内側）には、カバー１０を第１筐体２に対して固定するための係合爪４０が複数形成されている。
【００１９】
具体的には、カバー１０を図２（ｂ）に示す矢印方向にスライドさせることによって、カバー１０に形成された各係合爪４０が第１筐体２側に形成された受部５０，６０と係合され、これによってカバー１０が第１筐体２に対して取り付けられる。
一方、カバー１０を矢印と逆方向にスライドさせることによって、各係合爪４０と受部５０，６０との係合が解かれ、これによってカバー１０が第１筐体２から取り外される。
【００２０】
図３は、バッテリ２０の斜視図である。
バッテリ２０は、携帯電話機１に電力を供給するためのものであり、第１筐体２のバッテリ収容部３０に収容される。バッテリ２０は、バッテリユニット２１（バッテリセルとバッテリ基板等）と、バッテリユニット２１の側面を覆うモールド部２２とからなり、一体的に形成されている。モールド部２２は、バッテリユニット２１の３つの側面を覆うように、平面視コ字形に形成されている。
そして、バッテリ２０の４つの側面のひとつ（側面２３）には、モールド部２２から露出するように、複数の平面形の給電端子２５が設けられる。なお、給電端子２５は、正極端子及び負極端子を有し、更に信号用端子を備える場合もある。
【００２１】
また、モールド部２２には、２つの嵌合孔２６がバッテリ２０の厚み方向に沿って形成されている。２つの嵌合孔２６は、給電端子２５の近傍、具体的には給電端子２５が配置されているバッテリ２０の側面２３に沿って給電端子２５を挟む位置に設けられている。
【００２２】
図４は、バッテリ２０が第１筐体２のバッテリ収容部３０に収容された状態を示す図であって、（ａ）は平面図、（ｂ）は断面図である。
バッテリ収容部３０の４つの側壁のひとつ（側壁３１）には、バッテリ２０の給電端子２５に対応して、給電端子２５に当接するピン形の受電端子３５が配置されている。
第１筐体２の内部には、ＣＰＵや通信部を搭載した回路基板１２が収納されており、この回路基板１２とバッテリ２０とは、給電端子２５と受電端子３５とによって電気的に接続されている。なお、回路基板１２には、操作キー５を押下することによって作動する複数のスイッチ（不図示）が接続されている。そして、各スイッチが作動させることによって、携帯電話機１が操作可能となっている。
【００２３】
バッテリ収容部３０の底面３２には、バッテリ２０の嵌合孔２６に対応して、２つのボス３６が底面３２に対して略直交に立設して形成されている。２つのボス３６は、受電端子３５の近傍、具体的には受電端子３５が配置されている側壁３１に沿って受電端子３５を挟む位置に設けられている。
【００２４】
したがって、バッテリ収容部３０に対してバッテリ２０を挿入すると、バッテリ２０の２つの嵌合孔２６は、バッテリ収容部３０の底面３２に立設する２つのボス３６に嵌合する。また、バッテリ２０の給電端子２５は、バッテリ収容部３０の側壁３１に配置された受電端子３５に当接する。
【００２５】
このように、バッテリ２０の嵌合孔２６とバッテリ収容部３０のボス３６とは、嵌合することにより、バッテリ２０をバッテリ収容部３０に対してがたつきなく収容（位置決め）する嵌合部１５、すなわちバッテリ保持構造１４を構成する。
嵌合孔２６の内径寸法及びボス３６の外径寸法は、バッテリ２０の外形寸法及びバッテリ収容部３０の内形寸法に比べて小さいので、成型誤差（ばらつき）も小さくなる。したがって、従来のように、バッテリ２０の外形形状（モールド部２２）とバッテリ収容部３０の内形形状（側壁３１）とを一致させてバッテリ２０の位置決めを行う場合よりも、嵌合部１５を用いることでバッテリ２０をがたつきなく位置決めすることができる。
したがって、バッテリ２０の給電端子２５をバッテリ収容部３０の受電端子３５に対向させて、確実に当接させることができ、給電端子２５と受電端子３５が瞬間的に離間してしまうことは殆どなくなる。
【００２６】
また、嵌合部１５（嵌合孔２６，ボス３６）を給電端子２５や受電端子３５の近傍に配置したので、より確実にバッテリ２０の給電端子２５をバッテリ収容部３０の受電端子３５に対向・当接させることができる。仮に、嵌合孔２６とボス３６との嵌合に若干のがたつきが発生した場合であっても、嵌合孔２６及びボス３６と給電端子２５及び受電端子３５との距離が近いので、給電端子２５と受電端子３５との位置ずれ量は小さく抑えられる。
また、嵌合孔２６及びボス３６を複数組備えることで、更に確実にバッテリ２０の位置決め精度を高めることができる。
【００２７】
また、バッテリ２０のモールド部２２の形成材料が、第１筐体２（バッテリ収容部３０）の形成材料（ＡＢＳ等）よりも柔らかい（高弾性）材料の場合には、嵌合孔２６の内径寸法をボス３６の外径寸法よりも若干小さく形成することで、嵌合孔２６とボス３６とが締り嵌め（圧入嵌合）となって、バッテリ２０のがたつきを完全に解消すること可能となる。
【００２８】
このように、本実施形態の携帯電話機１によれば、第１筐体２のバッテリ収容部３０にバッテリ２０をがたつきなく収容できるので、バッテリ２０の給電端子２５をバッテリ収容部３０の側壁３１に配置された受電端子３５に対して確実に当接させることができる。
したがって、携帯電話機１の第１筐体２と第２筐体３とを開閉させた場合や、携帯電話機１を地面に落したりした場合であっても、バッテリ２０の給電端子２５とバッテリ収容部３０の側壁３１に配置された受電端子３５との接続が確実に維持されるので、ＣＰＵや通信部を搭載した回路基板１２への電源供給が瞬間的に途絶えたり、電圧低下が発生したりする瞬断の発生を抑制できる。つまり、携帯電話機１がリブート（再起動）したり、誤動作したりする危険性は殆どなくなる。
【００２９】
図５は、嵌合部（嵌合孔及びボス）の変形例を示す図であり、図４（ｂ）に対応する断面図である。
図５（ａ）に示すように、バッテリ２０のモールド部２２には不貫通の嵌合孔２７を形成し、バッテリ収容部３０の底面３２には嵌合孔２７に嵌合するボス３７を形成してもよい。なお、ボス３７の高さは、嵌合孔２７の深さよりも短く（低く）形成される。
また、図５（ｂ）に示すように、バッテリ２０のモールド部２２には三角錐形の嵌合孔２８を形成し、バッテリ収容部３０の底面３２には嵌合孔２８に対応する三角錐形のボス３８を形成してもよい。三角錐形の嵌合孔２８とボス３８を用いることで、バッテリ２０をその厚み方向（バッテリ挿入方向）においても位置決めすることが可能となる。
【００３０】
以上、本発明の実施形態について図面を参照して詳説したが、具体的な構成は、上記実施形態に限定されるものではなく、本発明の要旨を逸脱しない範囲において設計変更等が可能である。
【００３１】
例えば、図６に示すように、給電端子２５及び受電端子３５が、バッテリ２０及びバッテリ収容部３０の長手側の側面（側壁）に配置される場合には、嵌合孔２６〜２８及びボス３６〜３８もバッテリ２０及びバッテリ収容部３０の長手側の側面（側壁）の近傍に配置される。
【００３２】
また、上記実施形態においては、バッテリ２０に設けられる給電端子２５が平面形であり、バッテリ収容部３０に設けられる受電端子３５がピン形である場合について説明したが、これに限らない。バッテリ２０の給電端子２５がピン形であり、バッテリ収容部３０の受電端子３５が平面形であってよい。
また、ピン形の受電端子３５を平面形の給電端子２５に押し付ける付勢手段を備えている場合であってもよい。
【００３３】
バッテリ２０は、一次電池、二次電池のいずれでもよい。また、水素と酸素などによる電気化学反応によって電力を取り出す燃料電池であってもよい。
【００３４】
また、上記実施形態においては、本発明に係る電子機器の一例として携帯電話機１を挙げて説明した。しかしながら、本発明はこれに限定されるものではなく、携帯電話機以外の電子機器、例えばノートパソコン、携帯音楽プレイヤー、ＰＤＡ（Personal Digital Assistant）等の携帯型の電子機器に適用することができる。
【図面の簡単な説明】
【００３５】
【図１】本実施形態に係る携帯電話機の概略構成を示す斜視図である。
【図２】第１筐体を裏側から見た斜視図である。
【図３】本実施形態に係るバッテリの斜視図である。
【図４】バッテリが第１筐体のバッテリ収容部に収容された状態を示す図である。
【図５】嵌合部（嵌合孔及びボス）の変形例を示す図である。
【図６】バッテリの変形例を示す図である。
【符号の説明】
【００３６】
１…携帯電話機（電子機器）
２…筐体
１２…電子回路  
１４…バッテリ保持構造
１５…嵌合部
２０…バッテリ
２２…モールド部
２３…側面
２５…給電端子
２６〜２８…嵌合孔（凹部）
３０…バッテリ収容部
３１…側壁
３２…底面
３５…受電端子
３６〜３８…ボス（凸部）
【図１】
2008165998.tif 000003
【図２】
2008165998.tif 000004
【図３】
2008165998.tif 000005
【図４】
2008165998.tif 000006
【図５】
2008165998.tif 000007
【図６】
2008165998.tif 000008